(57)【要約】【課題】２００Ｖ商用電源コンセントが設置されておらず、１００Ｖ商用電源コンセントのみが設置されている場所で２００Ｖ用加熱調理器を使用する際、導入コストを低減し、かつ、１００Ｖ用の電気機器も使用できるようにした加熱調理器を提供すること。【解決手段】２００Ｖ商用電源により駆動して被加熱物を加熱する加熱手段と、前記２００Ｖ商用電源の電圧を１００Ｖに降圧して出力する電圧変圧手段と、前記電圧変圧手段で降圧された１００Ｖ電圧に接続され、１００Ｖ機器を駆動するために接続可能なコンセントとを有し、前記加熱手段と前記コンセントに接続した１００Ｖ機器とを同時に駆動可能とする構成とすること。【選択図】図１
2014071986.tif 000002
【特許請求の範囲】
【請求項１】
２００Ｖ商用電源により駆動して被加熱物を加熱する加熱手段と、前記２００Ｖ商用電源の電圧を１００Ｖに降圧して出力する電圧変圧手段と、前記電圧変圧手段で降圧された１００Ｖ電圧に接続され、１００Ｖ機器を駆動するために接続可能なコンセントとを有し、前記加熱手段と前記コンセントに接続した１００Ｖ機器とを同時に駆動可能としたことを特徴とする加熱調理器。
【請求項２】
前記電圧変圧手段をオートトランスで構成した請求項１に記載の加熱調理器。
【請求項３】
前記加熱手段と前記電圧変圧手段は二重絶縁構造とした請求項１または２に記載の加熱調理器。
【請求項４】
前記電圧変圧手段の１次側または２次側に電流検知手段を設け、前記加熱手段は、前記加熱手段の出力と前記電流検知手段で検知した前記コンセントの出力の合計電力が所定値以下となるよう加熱量を制御することを特徴とした請求項１から３に記載の加熱調理器。
【発明の詳細な説明】
【技術分野】
【０００１】
本発明は、加熱調理器に関するものである。
【背景技術】
【０００２】
従来、キッチンに設置する加熱調理器は、２００Ｖ商用電源を入力とするものがある（例えば、特許文献１参照）。また、電力供給部を備えた加熱調理器もある（例えば、特許文献２参照）。
【先行技術文献】
【特許文献】
【０００３】
【特許文献１】特開２００６−９２８５１号公報
【特許文献２】特開２００８−２１４３３号公報
【発明の概要】
【発明が解決しようとする課題】
【０００４】
しかしながら、前記特許文献１の構成では、一般家庭において１００Ｖ用商用電源コンセントが普及しているためキッチンで使用することの多い調理機器などの電気機器は１００Ｖ電源を使用するものが一般的であり、キッチンには１００Ｖ用のコンセントのみが設置されている場合が多い。そのため２００Ｖ商用電源を入力とする加熱調理器を２００Ｖ商用電源用のコンセントが設置されていない場所で使用するには新たに２００Ｖ用商用電源コンセントを設けるための電気工事が必要であり、結果として加熱調理器の導入コストが高くなっていた。また既設の１００Ｖ用商用電源コンセントを２００Ｖ用商用電源コンセントに電圧変更して既設配線をそのまま活用することで加熱調理器の導入コストを低減することはできるが１００Ｖ用商用電源コンセントは本変更により消滅するため従来１００Ｖ用商用電源コンセントにて使用していた１００Ｖ用電気機器が同じ場所で利用できなくなる場合があるという課題を有していた。
【０００５】
また、前記特許文献２の構成では、電力供給部を備えており、複数機器を導入する際に配線追加の導入コストを低減できる場合がある。しかしながら、電源コンセントプラグからの入力電圧が電力供給部からそのまま出力されており、電源コンセントプラグからの入力電圧と電力供給部の出力電圧が同じ電圧のため、既設配線を流用し電圧を変更して電源入力した場合、既設配線で過去に使用していた家電機器等が使用できなくなるという課題は改善されるものではなく、このことが機器導入の大きな障壁となっていた。
【０００６】
本発明は、前記従来の課題を解決するもので、２００Ｖ商用電源コンセントが設置されておらず、１００Ｖ商用電源コンセントのみが設置されている場所で２００Ｖ用加熱調理器を使用する際、導入コストを低減し、かつ、従来から使用していた１００Ｖ用の電気機器も使用できるようにして導入障壁を低減した２００Ｖ用の加熱調理器を提供することを目的とする。
【課題を解決するための手段】
【０００７】
前記従来の課題を解決するために、本発明の加熱調理器は、２００Ｖ商用電源により駆動して被加熱物を加熱する加熱手段と、前記２００Ｖ商用電源の電圧を１００Ｖに降圧して出力する電圧変圧手段と、前記電圧変圧手段で降圧された１００Ｖ電圧に接続され、１００Ｖ機器を駆動するために接続可能なコンセントとを有し、前記加熱手段と前記コンセントに接続した１００Ｖ機器とを同時に駆動可能とした。
【発明の効果】
【０００８】
本発明の誘導加熱調理器は、１００Ｖ商用電源コンセントのみが設置されている場所において、従来から使用していた１００Ｖ用の電気機器も使用できるようにして導入コストを低減し、加熱調理器の導入にあたる電気工事の工期や経済的な障壁を低減できる。また、加熱調理器を設置後も従来からキッチンで使用している１００Ｖ用の電気機器がそのままの場所で使用可能とするとともに、キッチンで使用できる合計電力を２倍にすることができる２００Ｖ用の加熱調理器を実現することが出来る。
【図面の簡単な説明】
【０００９】
【図１】本発明の第１の実施の形態における加熱調理器の構成図
【図２】本発明の第２の実施の形態における加熱調理器の構成図
【発明を実施するための形態】
【００１０】
第１の発明は、２００Ｖ商用電源により駆動して被加熱物を加熱する加熱手段と、前記２００Ｖ商用電源の電圧を１００Ｖに降圧して出力する電圧変圧手段と、前記電圧変圧手段で降圧された１００Ｖ電圧に接続され、１００Ｖ機器を駆動するために接続可能なコンセントとを有し、前記加熱手段と前記コンセントに接続した１００Ｖ機器とを同時に駆動可能とする構成とした。上記構成により、２００Ｖ用の加熱調理器を設置する際に既設の１００Ｖ用配線を流用して２００Ｖ用配線に変更したとしても加熱調理器の近く、すなわちキッチン付近で１００Ｖ用の家電製品を２００Ｖ用の加熱調理器と同時に使用することができ、１００Ｖ機器を使用時の電路損失を１／４に低減することができ、容易な構成で導入コストを低減した加熱調理器を実現することが出来る。
【００１１】
第２の発明は、特に第１の発明において、前記電圧変圧手段をオートトランスで構成することにより、より容易な構成で導入コストを低減した加熱調理器を実現することが出来る。
【００１２】
第３の発明は、特に第１または第２の発明において、前記加熱手段と前記電圧変圧手段は二重絶縁構造とすることにより、アース接続不要でアース工事も不要として導入コストをさらに低減した加熱調理器を実現することが出来る。
【００１３】
第４の発明は、特に第１〜３の発明において、前記電圧変圧手段の１次側または２次側に電流検知手段を設け、前記加熱手段は、前記加熱手段の出力と前記電流検知手段で検知した前記コンセントの出力の合計電力が所定値以下となるよう加熱量を制御する構成とすることにより、導入コストを低減しかつ接続している電源の分岐回路ブレーカが断動作しないように電流を制御して使い勝手の良い加熱調理器を実現することが出来る。
【００１４】
以下、本発明の実施の形態について、図面を参照しながら説明する。なお、この実施の形態によって本発明が限定されるものではない。
【００１５】
（実施の形態１）
図１は本発明の第１の実施の形態における加熱調理器の構成図である。
【００１６】
図１において、公称電圧２００Ｖの２００Ｖ商用電源１は図示しない配電盤ブレーカを経由してキッチンの加熱調理器が設置された付近に取り付けられた２００Ｖ用コンセント２に配電される。本実施の形態において配電盤ブレーカから２００Ｖ用コンセント２までの配線は、当初、キッチンで使用する１００Ｖ用の電化製品のための１００Ｖ用コンセントの配線として使用されていた１５Ａ用配線をそのまま利用し配電盤側の接続変更にて電圧を２００Ｖに切り替え、当初設置および接続されていた１００Ｖ用コンセントの代わりに設けられた２００Ｖ用コンセント２に接続したものである。
【００１７】
２００Ｖ用コンセント２は１５Ａ用でかつ接地極があり、接地極はアース３に接続されている。電源プラグ４は接地極を含めて３極あり２００Ｖ用コンセント２に差し込み、電気的に接続する。電源プラグ４の３極のうち２００Ｖ商用電源に接続される２極は加熱手段５と電圧変圧手段６の一次側に接続されている。加熱手段５は図示しない出力を可変できるインバータと誘導加熱コイルからなる誘導加熱装置である。
【００１８】
電圧変圧手段６はいわゆるオートトランスとしており巻数比は２：１として２次側は１００Ｖが出力される。２次側は１００Ｖ用コンセント７に接続され、配線を１００Ｖから２００Ｖに電圧変更したことにより１００Ｖ用として使えなくなったコンセントの代わりに使用することができるので、一般の１００Ｖ用電化製品の電源プラグを接続して使用できる。
【００１９】
使用者の感電保護のため電源プラグ４の接地極は金属製の外郭８に電気的に接続されている。そのため１００Ｖ用から２００Ｖ用へのコンセント取り換えと電圧切替と２００Ｖ用コンセント２の接地極のアース接地工事だけで導入コストを低減して２００Ｖ加熱調理器を使用できかつ１００Ｖ用コンセントも備え付けて１００Ｖ用電化製品も不自由なく使用できるものである。
【００２０】
また電圧変圧手段６の１次側にカレントトランスからなる電流検知手段９を設けその出力を加熱手段５に入力している。加熱手段５と１００Ｖ用コンセント７に接続された１００Ｖ用電化製品は同時に使用可能としており、加熱手段５と１００Ｖ用コンセント７の出力の合計電力を所定値以下へ抑制するよう加熱手段を制御する構成として、たとえば２００Ｖ用の配電盤のブレーカ容量が１５Ａの場合において、１００Ｖ用コンセント７に接続した電化製品により電流検知手段９にて検知した電流が１５Ａである場合は加熱手段５の入力電流を７．５Ａ以下となるように加熱手段５を制御し、電源プラグ４からの入力電流を１５Ａ以下となるようにしている。
【００２１】
上記構成により、２００Ｖ用の加熱調理器を設置するために、配電盤からキッチンまでの既設の１００Ｖ用配線を流用し配電盤の接続を変更して２００Ｖ用配線に変更したとしても、失われた１００Ｖ用配線の代わりに１００Ｖ用コンセント７を本実施の形態の加熱調理器に設置することができる。したがって、キッチンで１００Ｖ用電化製品に使用していた既設の１００Ｖ用配線を残したままで新たに２００Ｖ用配線を設置しなくても２００Ｖ用の加熱調理器と併用して１００Ｖ用機器が従来と同様にキッチンにて使用可能となるものである。
【００２２】
また、１００Ｖ用配線を２００Ｖ用配線に変更し、加熱調理器が備えた電圧変圧手段６にて２００Ｖ電源を１００Ｖ出力に変圧したので、１００Ｖ機器を１００Ｖ用コンセント７に接続して使用した場合、２００Ｖ用配線に流れる電流は従来の１００Ｖ用配線に１００Ｖ用機器を接続して使用した場合の約１／２となり、したがって、電路損失は１／４となるので、より省エネルギーにて１００Ｖ機器を使用することができる。
【００２３】
さらに、従来の配線を流用するので配線自体に変更はなく使用可能な最大電流は変わらないが、電圧を２００Ｖに変更することで同一配線で使用できる最大電力は２倍となる。したがって、２００Ｖ用加熱調理器と１００Ｖ用電気機器の合計の使用可能電力が２倍となるため、従来の１００Ｖ用電気機器をそのまま従来の最大電力まで使用していても１００Ｖ用電気機器と同量の電力まで２００Ｖ用加熱調理器を同時に使用できる。すると結果的に２００Ｖ用加熱調理器で使用する電力分の配線容量を増やしている形となり、従来の１００Ｖ用電気機器の使用にあたって２００Ｖ用加熱調理器による電力消費が邪魔をして１００Ｖ用電気機器が使用できなくなるという状況は起こりにくい。
【００２４】
なお、本実施の形態において加熱手段５は誘導加熱装置であるとしたが例えば電気ヒータやマグネトロンなど他の加熱方式によるものであっても本発明の効果は同様に得られるものである。また、電圧変圧手段６はオートトランスであるとしたが例えば整流手段とインバータにより２００Ｖを１００Ｖに変圧する方法など他の電圧変圧方法であっても本発明の効果が同様に得られることはいうまでもない。
【００２５】
（実施の形態２）
図２は本発明の第２の実施の形態における加熱調理器の構成図である。
【００２６】
図２において、２００Ｖ商用電源１は図示しない配電盤ブレーカを経由してキッチンの加熱調理器が設置された付近に取り付けられた２００Ｖ用コンセント２に配電される。本実施の形態において配電盤ブレーカから２００Ｖ用コンセント２までの配線は、当初、１００Ｖ用コンセントの配線として使用されていた１５Ａ用配線をそのまま利用し配電盤側の接続変更にて電圧を２００Ｖに切り替え、当初設置および接続されていた１００Ｖ用コンセントの代わりに設けられた２００Ｖ用コンセント２に接続したものである。
【００２７】
２００Ｖ用コンセント２は１５Ａ用でかつ接地極はない。電源プラグ４は２極であり２００Ｖ用コンセント２に差し込み、電気的に接続する。２００Ｖ商用電源に接続される電源プラグ４の２極は加熱手段５と電圧変圧手段６の一次側に接続されている。加熱手段５は図示しない出力を可変できるインバータと誘導加熱コイルからなる誘導加熱装置である。
【００２８】
電圧変圧手段６はいわゆるオートトランスとしており巻数比は２：１として２次側は１００Ｖが出力される。２次側は１００Ｖ用コンセント７に接続され、１００Ｖから２００Ｖに電圧変更したことにより１００Ｖ用として使えなくなったコンセントの代わりに使用することができるので、一般の１００Ｖ用電化製品の電源プラグを接続して使用できる。
【００２９】
さらに使用者の感電保護のため金属製の外郭８に対して加熱手段５と電圧変圧手段６はそれぞれ二重絶縁構造としている。そのため本体へのアース接続を不要とすることができるため、２００Ｖ用コンセント２の接地極のアース接地工事も不要となり１００Ｖ用から２００Ｖ用へのコンセント取り換えと電圧切替だけで導入コストを低減して２００Ｖ加熱調理器を使用できかつ１００Ｖ用コンセントも備え付けて１００Ｖ用電化製品も不自由なく使用できるものである。
【００３０】
また電圧変圧手段６の１次側にカレントトランスからなる電流検知手段９を設けその出力を加熱手段５に入力している。加熱手段５と１００Ｖ用コンセント７に接続された１００Ｖ用電化製品は同時に使用可能としており、加熱手段５と１００Ｖ用コンセント７の出力の合計電力を所定値以下へ抑制するよう加熱手段を制御する構成として、たとえば２００Ｖ用の配電盤のブレーカ容量が１５Ａの場合において、１００Ｖ用コンセント７に接続した電化製品により電流検知手段９にて検知した電流が１５Ａである場合は加熱手段５の入力電流を７．５Ａ以下となるように加熱手段５を制御し、電源プラグ４からの入力電流を１５Ａ以下となるようにしている。
【産業上の利用可能性】
【００３１】
以上のように、本発明にかかる加熱調理器は、１００Ｖ機器の配線による損失を１／４に低減できる効果があることから、より省エネルギーが必要とされる用途にも適用できる。
【符号の説明】
【００３２】
１    ２００Ｖ商用電源
２    ２００Ｖ用コンセント
３    アース
４    電源プラグ
５    加熱手段
６    電圧変圧手段
７    １００Ｖ用コンセント
８    外郭
９    電流検知手段
【図１】
2014071986.tif 000003
【図２】
2014071986.tif 000004